(57)【要約】      （修正有）【課題】手間が掛からず簡単に、効率良く、貸与された物品の盗難や紛失を未然に防止することができるロッカールームシステム並びにロッカールーム管理端末と管理方法及び管理プログラムを得る。【解決手段】ロッカールームシステムは、ロッカールーム２０からの退室用のドア２１と、ロッカールーム２０内に設置された戸棚３０と、戸棚３０に格納された物品４０に添付された荷札４１を感知するセンサ３３と、センサ３３が荷札を感知したときにドア２１の施錠を解除する解錠手段２２と、を有してなる。【選択図】図１
2007217159.tif 000002
【特許請求の範囲】
【請求項１】
ロッカールームからの退室用のドアと、
上記ロッカールーム内に設置された戸棚と、
上記戸棚に格納された物品に添付された荷札を感知するセンサと、
上記センサが荷札を感知したときに上記ドアの施錠を解除する解錠手段と、
を有してなるロッカールームシステム。
【請求項２】
物品ＩＤを記憶している記憶部と、
ロッカールームからの退室用のドアと、
上記ロッカールーム内に設置された戸棚と、
上記戸棚に格納された物品に添付された荷札からこの物品を特定する物品ＩＤを読み出すセンサと、
上記センサが読み出した物品ＩＤが上記記憶部に記憶されているか検索する検索手段と、
上記センサが読み出した物品ＩＤが上記記憶部に記憶されているときに、上記ドアの施錠を解除する解錠手段と、
を有してなることを特徴とするロッカールームシステム。
【請求項３】
物品ＩＤを記憶するための記憶部と、
ロッカールームに持ち込まれる物品に添付された荷札からこの物品を特定する物品ＩＤを読み出して上記記憶部に記憶する入室物品センサと、
上記ロッカールームからの退室用のドアと、
上記ロッカールーム内に設置された戸棚と、
上記戸棚に格納された物品に添付された荷札からこの物品を特定する物品ＩＤを読み出すセンサと、
上記センサが読み出した物品ＩＤが上記記憶部に記憶されているか検索する検索手段と、
上記センサが読み出した物品ＩＤが上記記憶部に記憶されているときに、上記ドアの施錠を解除する解錠手段と、
を有してなることを特徴とするロッカールームシステム。
【請求項４】
利用者ＩＤと物品ＩＤを関連付けて記憶している記憶部と、
ロッカールームへの入室者を特定する利用者ＩＤを取得する利用者ＩＤ取得部と、
上記ロッカールームからの退室用のドアと、
上記ロッカールーム内に設置された戸棚と、
上記戸棚に格納された物品に添付された荷札からこの物品を特定する物品ＩＤを読み出すセンサと、
上記センサが読み出した物品ＩＤが上記利用者ＩＤ取得部により取得された利用者ＩＤと関連付けて上記記憶部に記憶されているか検索する検索手段と、
上記センサが読み出した物品ＩＤが上記利用者ＩＤ取得部により取得された利用者ＩＤと関連付けて上記記憶部に記憶されているときに、上記ドアの施錠を解除する解錠手段と、
を有してなることを特徴とするロッカールームシステム。
【請求項５】
ロッカールームからの退室用のドアと、
上記ロッカールーム内に設置された戸棚と、
上記戸棚に格納された物品に添付された荷札を感知するセンサと、
上記センサが荷札を感知している最中に上記戸棚の扉が施錠されたことを感知する第２センサと、
上記第２センサが戸棚の扉が施錠されたことを感知したときに上記ドアの施錠を解除する解錠手段と、
を有してなることを特徴とするロッカールームシステム。
【請求項６】
ロッカールームからの退室用のドアと、
上記ロッカールーム内に設置された戸棚と、
上記戸棚に格納された物品に添付された荷札を感知するセンサと、
上記センサが荷札を感知したときに、上記ドアの施錠を解除するための解錠情報を表示する表示手段と、
上記表示手段に表示された解錠情報を受け付けたときに、上記ドアの施錠を解除する解錠手段と、
を有してなることを特徴とするロッカールームシステム。
【請求項７】
ドアの近傍に設置され、このドアに接近する物品に添付された荷札を感知する退室物品センサと、
上記退室物品センサが荷札を感知したときに、上記ドアを施錠する施錠手段と、
をさらに備えた請求項１乃至６のいずれかに記載のロッカールームシステム。
【請求項８】
ロッカールームからの退室用のドアの施錠を解除するドア鍵制御器と、上記ロッカールーム内に設置された戸棚に格納された物品に添付された荷札からこの物品を特定する物品ＩＤを読み出すセンサ、のそれぞれと通信ネットワークを介して接続し、
物品ＩＤを記憶している記憶部を備えた端末により実行される方法であって、
上記端末が、
上記戸棚に格納された物品を特定する物品ＩＤを上記センサから受信するステップと、
上記センサから受信した物品ＩＤが上記記憶部に記憶されているか検索するステップと、
上記センサから受信した物品ＩＤが上記記憶部に記憶されているときに、上記ドアの施錠を解除するための解錠信号を上記ドア鍵制御器に送信するステップと、
を実行することを特徴とするロッカールーム管理方法。
【請求項９】
ロッカールームからの退室用のドアの施錠を解除するドア鍵制御器と、上記ロッカールーム内に設置された戸棚に格納された物品に添付された荷札を感知するセンサ、のそれぞれと通信ネットワークを介して接続し、
上記センサが荷札を感知したときに、上記ドアの施錠を解除するための解錠信号を上記ドア鍵制御器に送信する手段を有してなることを特徴とするロッカールーム管理端末。
【請求項１０】
ロッカールームからの退室用のドアの施錠を解除するドア鍵制御器と、上記ロッカールーム内に設置された戸棚に格納された物品に添付された荷札からこの物品を特定する物品ＩＤを読み出すセンサ、のそれぞれと通信ネットワークを介して接続し、
物品ＩＤを記憶している記憶部と、
上記戸棚に格納された物品を特定する物品ＩＤを上記センサから受信する手段と、
上記センサから受信した物品ＩＤが上記記憶部に記憶されているか検索する手段と、
上記センサから受信した物品ＩＤが上記記憶部に記憶されているときに、上記ドアの施錠を解除するための解錠信号を上記ドア鍵制御器に送信する手段と、
を有してなることを特徴とするロッカールーム管理端末。
【請求項１１】
コンピュータを、請求項９または１０のいずれかに記載のロッカールーム管理端末として機能させることを特徴とするロッカールーム管理プログラム。
【発明の詳細な説明】
【技術分野】
【０００１】
本発明は、ロッカールームシステムに関連した技術、具体的には、手間が掛からず簡単に、効率良く、物品の盗難や紛失を防止することができる技術に関するものである。
【背景技術】
【０００２】
近年、従業員や顧客に貸与された物品が紛失・盗難され、その物品がネットオークションにかけられて第三者の手に渡ってしまうことがあり問題となっている。たとえば、企業が従業員に貸与する制服の場合、制服には企業の信用力が化体していることから、制服を着用した者は企業の事業所内などに出入りが可能である。つまり、制服の盗難は、単に制服そのものが紛失しただけでなく、第二、第三の犯罪に利用されてしまうおそれがある。
【０００３】
これまでにも、貸し出し品の紛失の問題を効果的に解決することができる貸し出し品の管理に関する提案がなされている（たとえば、特許文献１参照）。
また、貸し出し品の管理に利用可能な錠付き戸棚に関する提案もなされている（たとえば、特許文献２参照）。
【０００４】
しかしながら、従来の貸し出し品の管理は、貸出・返却フロントで、客を特定する識別情報に関連付けて貸し出し品の荷札情報を記憶し貸出登録を行い、チェックアウトする際に、記憶済みの識別情報に係る荷札情報と各返却登録内容とに基づいて客に貸し出した品物が全て返却済みであるか否かを判断していた。したがって、物品の回収等に際して人を介在しなければならず、物品を返却する者の都合に合わせて返却を受け付ける者を配置しなければ（待機させなければ）ならず、非常に効率が悪いものである。
【０００５】
また、従来の錠付き戸棚は、錠付き戸棚の格納庫単位ごとにロッカーアドレスを特定するバーコードラベルを添付し、移動体通信端末装置へデータを出力可能なバーコードリーダに読取らせた前記バーコード情報を、移動体通信端末装置と利用者通信手段を通して錠管理装置へ送信することで、収納されたことの判定並びに収納物の情報取得を行っていた。したがって、物品の返却の度に利用者がロッカーアドレスを特定するバーコードラベルを読取り、読み取ったバーコード情報を管理装置へ送信しなければならず、非常に手間が掛かる煩わしいものである。
【特許文献１】特開２００３−１４１６３２号公報
【特許文献２】特開２００３−１６６３７０号公報
【発明の開示】
【発明が解決しようとする課題】
【０００６】
本発明は以上のような従来の実情に鑑みてなされたもので、手間が掛からず簡単に、効率良く、貸与された物品の盗難や紛失を未然に防止することができるロッカールームシステム並びにロッカールーム管理端末と管理方法及び管理プログラムを提供することを目的とする。
【課題を解決するための手段】
【０００７】
本発明のロッカールームシステムは、ロッカールームからの退室用のドアと、ロッカールーム内に設置された戸棚と、戸棚に格納された物品に添付された荷札を感知するセンサと、センサが荷札を感知したときにドアの施錠を解除する解錠手段と、を有してなることを特徴とする。
【０００８】
また、本発明のロッカールームシステムは、物品ＩＤを記憶している記憶部と、ロッカールームからの退室用のドアと、ロッカールーム内に設置された戸棚と、戸棚に格納された物品に添付された荷札から物品を特定する物品ＩＤを読み出すセンサと、センサが読み出した物品ＩＤが記憶部に記憶されているか検索する検索手段と、センサが読み出した物品ＩＤが記憶部に記憶されているときに、ドアの施錠を解除する解錠手段と、を有してなることを特徴とする。
【０００９】
また、本発明のロッカールームシステムは、物品ＩＤを記憶するための記憶部と、ロッカールームに持ち込まれる物品に添付された荷札から物品を特定する物品ＩＤを読み出して記憶部に記憶する入室物品センサと、ロッカールームからの退室用のドアと、ロッカールーム内に設置された戸棚と、戸棚に格納された物品に添付された荷札から物品を特定する物品ＩＤを読み出すセンサと、センサが読み出した物品ＩＤが記憶部に記憶されているか検索する検索手段と、センサが読み出した物品ＩＤが記憶部に記憶されているときに、ドアの施錠を解除する解錠手段と、を有してなることを特徴とする。
【００１０】
また、本発明のロッカールームシステムは、利用者ＩＤと物品ＩＤを関連付けて記憶している記憶部と、ロッカールームへの入室者を特定する利用者ＩＤを取得する利用者ＩＤ取得部と、ロッカールームからの退室用のドアと、ロッカールーム内に設置された戸棚と、戸棚に格納された物品に添付された荷札から物品を特定する物品ＩＤを読み出すセンサと、センサが読み出した物品ＩＤが利用者ＩＤ取得部により取得された利用者ＩＤと関連付けて記憶部に記憶されているか検索する検索手段と、センサが読み出した物品ＩＤが利用者ＩＤ取得部により取得された利用者ＩＤと関連付けて記憶部に記憶されているときに、ドアの施錠を解除する解錠手段と、を有してなることを特徴とする。
【００１１】
また、本発明のロッカールームシステムは、ロッカールームからの退室用のドアと、ロッカールーム内に設置された戸棚と、戸棚に格納された物品に添付された荷札を感知するセンサと、センサが荷札を感知している最中に戸棚の扉が施錠されたことを感知する第２センサと、第２センサが戸棚の扉が施錠されたことを感知したときにドアの施錠を解除する解錠手段と、を有してなることを特徴とする。
【００１２】
また、本発明のロッカールームシステムは、ロッカールームからの退室用のドアと、ロッカールーム内に設置された戸棚と、戸棚に格納された物品に添付された荷札を感知するセンサと、センサが荷札を感知したときに、ドアの施錠を解除するための解錠情報を表示する表示手段と、表示手段に表示された解錠情報を受け付けたときに、ドアの施錠を解除する解錠手段と、を有してなることを特徴とする。
【００１３】
また、本発明のロッカールームシステムは、ドアの近傍に設置され、ドアに接近する物品に添付された荷札を感知する退室物品センサと、退室物品センサが荷札を感知したときに、ドアを施錠する施錠手段と、をさらに備えたことを特徴とする。
【００１４】
本発明のロッカールーム管理方法は、ロッカールームからの退室用のドアの施錠を解除するドア鍵制御器と、ロッカールーム内に設置された戸棚に格納された物品に添付された荷札から物品を特定する物品ＩＤを読み出すセンサ、のそれぞれと通信ネットワークを介して接続し、物品ＩＤを記憶している記憶部を備えた端末により実行される方法であって、端末が、戸棚に格納された物品を特定する物品ＩＤをセンサから受信するステップと、センサから受信した物品ＩＤが記憶部に記憶されているか検索するステップと、センサから受信した物品ＩＤが記憶部に記憶されているときに、ドアの施錠を解除するための解錠信号をドア鍵制御器に送信するステップと、を実行することを特徴とする。
【００１５】
本発明のロッカールーム管理端末は、ロッカールームからの退室用のドアの施錠を解除するドア鍵制御器と、ロッカールーム内に設置された戸棚に格納された物品に添付された荷札を感知するセンサ、のそれぞれと通信ネットワークを介して接続し、センサが荷札を感知したときに、ドアの施錠を解除するための解錠信号をドア鍵制御器に送信する手段を有してなることを特徴とする。
【００１６】
また、本発明のロッカールーム管理端末は、ロッカールームからの退室用のドアの施錠を解除するドア鍵制御器と、ロッカールーム内に設置された戸棚に格納された物品に添付された荷札から物品を特定する物品ＩＤを読み出すセンサ、のそれぞれと通信ネットワークを介して接続し、物品ＩＤを記憶している記憶部と、戸棚に格納された物品を特定する物品ＩＤをセンサから受信する手段と、センサから受信した物品ＩＤが記憶部に記憶されているか検索する手段と、センサから受信した物品ＩＤが記憶部に記憶されているときに、ドアの施錠を解除するための解錠信号をドア鍵制御器に送信する手段と、を有してなることを特徴とする。
【００１７】
本発明のロッカールーム管理プログラムは、コンピュータを本発明にかかるロッカールーム管理端末として機能させることを特徴とする。
【発明の効果】
【００１８】
本発明のロッカールームシステムによれば、ロッカールーム内の戸棚に物品が格納されたときに、ロッカールームからの退室用のドアの施錠を解除する（解錠する）ことができる。したがって、手間を掛けずに簡単に、効率良く、しかも確実に物品を回収することができる。
【発明を実施するための最良の形態】
【００１９】
以下、図面を参照しながら、本発明にかかるロッカールームシステム並びにロッカールーム管理端末と管理方法及び管理プログラムの実施の形態について説明する。
以下に説明する実施の形態は、従業員に貸与された制服を格納する戸棚を備えたロッカールームを例に説明する。つまり、従業員は利用者の例であり、制服は物品の例である。なお、制服には、この制服の制服番号を記憶しているＩＣタグが埋め込まれている。制服番号とは、ロッカールームシステムが制服を特定するために用いる識別情報である。ＩＣタグは制服に添付された荷札の例であり、制服番号は物品ＩＤの例である。
【００２０】
ここで、荷札の物品への添付の態様は、埋め込みに限らず、貼付するなど、物品の物理的特性などにより種々選択可能である。
また、１の物品には、少なくとも１の荷札が添付されるものとし、２以上の荷札を添付してもよい。１の物品に複数の荷札を添付する場合、たとえば、各荷札に同一の物品ＩＤを記憶させておき、荷札の紛失などの予防を図るようにしてもよいし、あるいは、各荷札に記憶されている物品ＩＤの組合せから、物品を特定するようにしてもよい。
【００２１】
ロッカールームシステムは、たとえば勤務を終えた従業員が、ロッカールームに入室して、着用していた制服をロッカールーム内の戸棚に格納して返却したときに、従業員をロッカールームから退室させる、つまり、施錠されたロッカールームのドアを解錠するように構成されている。ドアを解錠する条件については、後述する。
なお、以下の説明において、「入室」とはロッカールームへの入室のことであり、「退室」とはロッカールームからの退室のことである。
【００２２】
以下、本発明にかかるロッカールームシステムの構成について説明する。
図１は、ロッカールームシステムの実施の形態を示す模式図である。ロッカールームシステム１は、ドア２１と、ドア鍵制御器２２と、戸棚３０と、格納物品識別情報読取器（以下、「第２センサ」という）３３と、ロッカールーム管理端末（以下、単に「管理端末」という）１０と、を有してなる。
【００２３】
ドア２１は、ロッカールーム２０の壁２０Ａに設置されていて、従業員Ｕがロッカールーム２０から退室する際に開閉される。
なお、従業員Ｕがロッカールーム２０に入室する際に開閉されるドアは、ドア２１と同一であってもよいし、あるいは、ドア２１とは別のドアであってもよい。図１は、ロッカールーム２０にはドア２１のみが設けられていることを示している。つまり、ドア２１は、ロッカールーム２０への入室および退室の際に開閉されるドアである。
【００２４】
ドア鍵制御器２２は、ドア２１の開閉を制御する手段、つまり、施錠されているドア２１を解錠したり、解錠されているドア２１を施錠したりする手段である。
【００２５】
戸棚３０は、ロッカールーム２０内に設置されていて、従業員Ｕが持ち込んだ制服を格納するための格納庫を有する。なお、ロッカールーム２０内には、少なくとも１個の戸棚３０が設置されているものとし、図１は１２個の戸棚３０が設置されていることを示している。
【００２６】
第２センサ３３は、戸棚３０の格納庫に格納された制服のＩＣタグを感知して、このＩＣタグから制服番号を読み取り、管理端末１０に通知する手段である。
【００２７】
管理端末１０は、ドア鍵制御器２２を介してドア２１の開閉を制御する情報処理装置である。なお、管理端末１０の設置場所は、ロッカールーム２０の内外のいずれであってもよい。
【００２８】
図２は、管理端末１０の実施の形態を示すブロック図である。管理端末１０は、通信ネットワーク（図示省略）を介して、ドア鍵制御器２２と第２センサ３３のそれぞれと通信可能となるよう接続された情報処理装置であり、たとえばパーソナルコンピュータなどで実現されている。
通信ネットワークの例としては、インターネットやＬＡＮ（Local Area Network）などのコンピュータ通信網がある。管理端末１０、ドア鍵制御器２２、第２センサ３３は、専用線、公衆交換電話網（ＰＳＴＮ）、無線電話網、ＣＡＴＶ網、衛星通信網等の通信回線を介して通信ネットワークと接続している。
【００２９】
なお、図２は、管理端末１０、ロッカールーム２０、戸棚３０が備える手段の配置例を示すものであり、本発明において、各手段の配置はこれに限定されるものではない。つまり、たとえば管理端末１０内の各手段は、管理端末１０内でなくとも、たとえば、ロッカールーム２０内外の別の装置（たとえば、戸棚３０）などが備えていてもよい。
【００３０】
ロッカールーム２０には、ドア２１とドア鍵制御器２２のほかに、入室物品ＩＤ読取器（第１センサ）２３、利用者ＩＤ読取器２４、退室物品ＩＤ読取器（第３センサ）２５、ドア解錠番号入力部２６、表示部２７が設けられている。また、戸棚３０には、第２センサ３３のほかに、扉３２、扉鍵制御器３４、施錠情報送信部３５、表示部３６が設けられている。これら、ロッカールーム２０および戸棚３０に設けられている各手段の内容については、後述する。
【００３１】
次に、管理端末１０の構成について説明する。
管理端末１０は、記憶部ＤＢ１と、格納物品識別情報受信部（以下、「第２物品ＩＤ受信部」という）１１と、解錠信号送信部１２Ａと、解錠情報送信部１２Ｂと、判定部１３と、施錠情報受信部１４と、利用者識別情報受信部（以下、「利用者ＩＤ受信部」という）１５と、入室物品識別情報受信部（以下、「第１物品ＩＤ受信部」という）１６と、退室物品識別情報受信部（以下、「第３物品ＩＤ受信部」という）１７と、解錠禁止信号送信部１８と、解錠情報決定部１９と、を有している。
【００３２】
また、管理端末１０は、図示しないが、ＣＰＵ（中央処理装置）とプログラム記憶部とを有する。ＣＰＵは、プログラム記憶部に記憶されたプログラムに従い、管理端末１０の各構成要素を統制制御し、プログラム処理を実行する。プログラム記憶部は、ＲＯＭ（Read Only Memory）やＲＡＭ（Random Access Memory）等で構成され、管理端末１０が使用する各種プログラムを記憶している。
【００３３】
なお、管理端末１０では、本発明にかかるロッカールーム管理プログラム（以下、「本プログラム」という）が動作して管理端末１０内の各手段を制御することで、以下に説明するロッカールーム管理方法（以下、「本方法」という）を実現する。
また、本プログラムを記録したコンピュータ読取可能な記録媒体（以下、「本記録媒体」という）を用いれば、図示しないコンピュータを管理端末１０と同様に機能させることができる。すなわち、図示しないコンピュータが、本記録媒体から本プログラムを読取、実行することで、本方法を実現することができる。
【００３４】
記憶部ＤＢ１は、物品ＩＤを記憶するための記憶手段である。
図３は、記憶部ＤＢ１に記憶されている物品ＩＤの例を示す模式図である。物品ＩＤは、本発明の実施形態に応じて種々の態様で記憶部ＤＢ１に記憶される。
【００３５】
図３（ａ）は、物品ＩＤが返却情報と関連付けて記憶されていることを示していて、制服番号「Ａ０１」の制服は返却済であること、制服番号「Ａ０２」の制服は未返却であること、などを示している。
この記憶態様を用いた実施形態の例としては、従業員に制服を貸与する際に、貸与する制服の制服番号を返却情報「未返却」と共に記憶部ＤＢ１に記憶しておき、制服が戸棚３０に返却された際に、返却された制服の制服番号に関連付けて記憶されている返却情報を「未返却」から「返却済」に更新するものがある。
【００３６】
図３（ｂ）は、物品ＩＤが利用者ＩＤと関連付けて記憶されていることを示していて、利用者ＩＤ「Ｃ１」の従業員には制服番号「Ａ１０」と「Ａ３２」の２着の制服が貸与されていること、などを示している。
この記憶態様を用いた実施形態の例としては、従業員に制服を貸与する際に、貸与する制服の制服番号を従業員の従業員番号と共に記憶しておき、返却のため戸棚３０に格納された制服の制服番号を記憶ＤＢ１から削除するものがある。
【００３７】
図３（ｃ）は、物品ＩＤが戸棚を特定する戸棚ＩＤと関連付けて記憶されていることを示していて、戸棚ＩＤ「Ｈ１」の戸棚には制服番号「Ａ４０」の制服が格納されていること、などを示している。戸棚ＩＤは、戸棚３０内の記憶手段（図示省略）に記憶されているものとする。
この記憶態様を用いた実施形態の例としては、ロッカールーム２０内に設置されているすべての戸棚の戸棚ＩＤを記憶しておき、返却のために戸棚に格納された制服の制服番号がこの戸棚の戸棚ＩＤと共に管理端末１０に通知され、記憶部ＤＢ１に記憶されるものがある。
【００３８】
管理端末１０は、物品ＩＤ、利用者ＩＤ、戸棚ＩＤをインデックスとして記憶部ＤＢ１を検索することで、貸与されている制服の返却状況や、従業員に貸与している制服の制服番号、戸棚に格納されている制服の制服番号を読み出して、管理端末１０のディスプレイ等に表示すことなどができる。したがって、たとえば、制服の管理者は、記憶部ＤＢ１に記憶されている情報を閲覧して、制服の返却状況などを確認することができる。
【００３９】
以上説明したデータベースは、管理端末１０に搭載されたハードディスクなどの記憶装置上に実現されている。
【００４０】
第２物品ＩＤ受信部１１は、制服番号を第２センサ３３から受信して判定部１３又は解錠信号送信部１２Ａへ送る手段である。
【００４１】
解錠信号送信部１２Ａは、ドア２１の施錠を解除する、つまりドア２１を解錠するための解錠信号をドア鍵制御器２２に送信する手段である。
【００４２】
解錠情報送信部１２Ｂは、解錠情報決定部１９で決定された解錠情報を、ドア鍵制御器２２と共に、表示部２７または表示部３６の何れか（または双方）に送信する手段である。解錠情報については後述する。
【００４３】
判定部１３は、ドア２１の解錠の可否、つまり、ドア２１を解錠するための所定の条件が成立したか否かを判定する手段である。ドア２１が解錠される条件については、後述する。
【００４４】
施錠情報受信部１４は、施錠情報を戸棚３０から受信して解錠信号送信部１２Ａへ送る手段である。
施錠情報とは、戸棚３０の扉３２が施錠されたときに、この扉３２が施錠されたことを示す情報であり、戸棚ＩＤを含む。戸棚ＩＤとは、ロッカールーム２０内に設置されている戸棚を特定する情報であり、ロッカールーム２０内で一意の情報である。
なお、ロッカールーム２０内に設置された戸棚が１個の場合、戸棚を特定する必要がないことから、施錠情報には戸棚ＩＤは含まなくてもよい。この場合、施錠情報受信部１４は、施錠情報そのものではなく、施錠情報を受信した旨を解錠信号送信部１２Ａに通知する。
【００４５】
利用者ＩＤ受信部１５は、利用者ＩＤを利用者ＩＤ読取器２４から受信して判定部１３または解錠信号送信部１２Ａへ送る手段である。利用者ＩＤとは、従業員を特定する情報であり、たとえば、従業員番号などである。
【００４６】
第１物品ＩＤ受信部１６は、制服番号を第１センサ２３から受信して判定部１３へ送る手段である。
【００４７】
第３物品ＩＤ受信部１７は、制服番号を第３センサ２５から受信して解錠禁止信号送信部１８と判定部１３へ送る手段である。
【００４８】
解錠禁止信号送信部１８は、解錠信号送信部１２Ａが解錠信号をドア鍵制御器２２に送信した後に、第３物品ＩＤ受信部１７が制服番号を受信したとき、ドア２１の解錠を取り消す解錠禁止信号をドア鍵制御器２２に送信する手段である。
【００４９】
解錠情報決定部１９は、判定部１３がドア２１の解錠条件が満たされたと判定したときに、ドア２１を解錠するための解錠情報を決定して解錠情報送信部１２Ｂに送る手段である。解錠情報は、たとえば、英数字の組み合わせ等である。
【００５０】
次に、ドア２１の構成について説明する。
図４は、ドア２１の例を示す模式図であり、（ａ）はロッカールーム２０の外側から見た様子、（ｂ）はロッカールーム２０の内側から見た様子、をそれぞれ示している。
【００５１】
図４（ａ）に示すように、ドア２１の外側面（ロッカールーム２０の外側に位置する面）には、入室する際に操作する取っ手２１Ａが設けられている。また、ドア２１の近傍のロッカールーム２０の壁２０Ａには、第１センサ２３と、利用者ＩＤ読取器２４と、が設けられている。なお、第１センサ２３と利用者ＩＤ読取器２４は、ドア２１に設けてもよい。
一方、図４（ｂ）に示すように、ドア２１の内側面（ロッカールーム２０の内側に位置する面）には、ドア鍵制御器２２と、退室する際に操作する取っ手２１Ｂと、第３センサ２５と、が設けられている。また、ドア２１の近傍のロッカールーム２０の壁２０Ａには、ドア解除番号入力器２６と、表示部２７と、が設けられている。なお、ドア鍵制御器２２と第３センサ２５は壁２０Ａに設けてもよく、また、ドア解除番号入力器２６と表示部２７はドア２１に設けてもよい。
【００５２】
ここで、取っ手２１Ａの操作とは、従業員Ｕが取っ手２１Ａを持って引っ張る動作をいう。また、２１Ｂの操作とは、従業員Ｕが取っ手２１Ｂを押す動作をいう。
【００５３】
なお、ドア２１は、少なくともロッカールーム２０からの退室の制限を行なうように、閉まると自動的に施錠する、いわゆるオートロック機能を有している。すなわち、たとえば、ドア鍵制御器２２がドア２１の開閉を感知可能に構成されていて、ドア２１が一旦開いた後に閉じたことを感知すると、ドア２１を施錠する。あるいは、ドア２１は、ドア２１が解錠されてから一定時間経過後に自動的に施錠されるように構成されていてもよい。さらには、ロッカールーム２０内に入室用センサを設け、この入室用センサが従業員Ｕのロッカールーム２０への入室を感知したらドア２１は施錠されるように構成されていてもよい。
【００５４】
ドア２１の形状は、従業員Ｕの退室を制限することができるものであればよく、棒状体等でもよい。
【００５５】
ドア鍵制御器２２は、解錠信号送信部１２Ａから解除信号を受信して、あるいは、解錠禁止信号送信部１８から解除禁止信号を受信して、ドア２１の施錠、あるいは、解錠をする手段である。すなわち、ドア鍵制御器２２は、解錠信号を受信するとドア２１を解錠状態にする。解錠状態にあるドア２１は、取っ手２１Ｂが操作されると開く。一方、ドア鍵制御器２２は、解錠禁止信号を受信するとドア２１を施錠状態にする。施錠状態にあるドア２１は、取っ手２１Ｂが操作されても開かない。
なお、前述のとおり、解錠状態にあるドア２１は、開いた後に再び閉まると、施錠状態に戻る。
【００５６】
第１センサ２３は、従業員Ｕがロッカールーム２０へ入室する際、従業員Ｕが着用している制服４０のＩＣタグ４１から制服番号を読み取って、第１物品ＩＤ受信部１６へ送信する手段である。
【００５７】
なお、以下の説明において、従業員が着用している制服とは、従業員が身にまとっている制服に限らず、ロッカールーム２０への入室時であれば、従業員がロッカールーム２０に持ち込む制服をいい、退室時であれば、従業員がロッカールーム２０から持ち出す制服をいうものとする。
【００５８】
利用者ＩＤ読取器２４は、ロッカールーム２０へ入室する従業員Ｕの利用者ＩＤを読み取って、利用者ＩＤ受信部１５へ送信する手段である。ここで、利用者ＩＤ読取器２４が利用者ＩＤを読み取る方法としては、たとえば、従業員Ｕが、従業員ＩＤの記憶されている社員証を利用者ＩＤ読取器２４に接触させたり、かざしたりすることで、この社員証から読み取る。
【００５９】
第３センサ２５は、従業員Ｕがロッカールーム２０から退室する際、従業員Ｕが着用している制服があれば、この制服のＩＣタグを感知して、このＩＣタグから制服番号を読み取り、第３物品ＩＤ受信部１７へ送信する手段である。
【００６０】
ドア解除番号入力器２６は、解錠情報を受け付けてドア鍵制御手段２２へ送信する手段である。
解錠情報の受け付けは、たとえば、従業員Ｕが、表示部２７または表示部３６に表示された解錠情報を記憶し、解除番号入力器２６を操作して記憶しておいた解除情報を入力することで行なわれる。
【００６１】
表示部２７は、解錠情報送信部１２Ｂから送信された解錠情報を出力表示する手段である。
【００６２】
次に、戸棚３０の構成について説明する。
図５は、戸棚３０の例を示す模式図であり、（ａ）は扉が閉じた状態、（ｂ）は扉が開いた状態、を示している。
図５（ａ）に示すように、戸棚３０には、扉３２と、表示部３６と、扉３２の開閉用の取っ手３７を備えている。なお、表示部３６には、解錠情報「１２３４」が表示されていることを示している。
また、図５（ｂ）に示すように、戸棚３０には、制服４０を格納するための格納庫３１のほかに、格納庫３１に格納された制服４０のＩＣタグ４１から制服番号を読み取る第２センサ３３と、扉鍵制御器３４と、施錠情報送信部３５（図示省略）と、を備える。
【００６３】
なお、図５（ｂ）には、第２センサ３３が格納庫３１内に設けられている例を示しているが、第２センサの設置場所は、格納庫３１内に格納された制服４０のＩＣタグ４１から制服番号を読み取ることができれば、格納庫３１の外であっても構わない。
また、図５（ｂ）には、第２センサ３３が戸棚３０ごとに設けられている例を示しているが、１つの第２センサが複数の戸棚に格納された制服のＩＣタグから制服番号を読み取るように構成してもよいし、あるいは、複数の第２センサが１の戸棚に格納された制服のＩＣタグから制服番号を読み取るように構成してもよい。さらに、第２センサを戸棚の外に設けて複数の戸棚間を移動可能に構成しておき、たとえば、扉が開けられた戸棚を感知してこの戸棚の付近に移動し、この戸棚に格納された制服のＩＣタグから制服番号を読み取るようにしてもよい。
【００６４】
扉鍵制御器３４は、扉３２を施錠する手段である。
扉３２は、たとえば、扉鍵制御器３４が扉３２の開閉を判定可能であって、扉３２が閉じられたと判定すると共に、第２センサ３３から制服番号の読取完了の通知を受けたときに施錠されるように構成されている。
なお、扉３２の施錠の別の方法としては、たとえば、戸棚３０に鍵穴（図示省略）が設けられていて、従業員Ｕがこの鍵穴に鍵を挿入して操作することで、施錠されるように構成されていてもよい。
【００６５】
施錠情報送信部３５は、扉３２を施錠した旨の通知を扉鍵制御器３４から受け付けた際に、施錠情報を施錠情報受信部１４に送信する手段である。
なお、施錠情報の送信は、たとえば、第２センサ３３が物品ＩＤを読み取ったことを条件になされるように構成してもよい。すなわち、扉鍵制御器３４は、たとえば、第２センサ３３がＩＣタグ４１を感知している最中にのみ、扉３２が施錠されたことを感知するように構成されていてもよい。つまり、扉３２が施錠されても、第２センサ３３が物品ＩＤを読み取っていない場合には、送信しないように構成してもよい。
【００６６】
表示部３６は、解錠情報送信部１２Ｂから送信された解錠情報を出力表示する手段である。
【００６７】
また、戸棚３０には、図示しないが、プロセッサ、メモリ、通信インタフェース、入出力インタフェース、メモリに格納されたソフトウエアから構成された制御部が設けられ、該ソフトウエアは通信インタフェースを介して管理端末１０との間の通信を行うように構成されている。通信手段は、有線又は無線の何れも使用できる。
【００６８】
以下、本方法、つまり、管理端末１０によるドア２１の解錠方法について、説明する。
以下に説明する実施形態は、従業員Ｕがロッカールーム２０に入室する際に着用していた制服４０が戸棚３０に格納されたときに、ドア２１を解錠するものである。なお、従業員Ｕの入室前には、制服４０の制服番号は記憶部ＤＢ１には記憶されていないものとする。
【００６９】
図６は、本方法の実施の形態を示すシーケンス図である。
まず、従業員Ｕが、制服４０を返却するためにロッカールーム２０を訪れると、第１センサ２３が従業員Ｕの着用している制服４０に添付されたＩＣタグ４１から制服番号を読み取る（Ｓ１０）。第１センサ２３は、読み取った制服番号を管理端末１０へ送信する。
【００７０】
管理端末１０は、第１物品ＩＤ受信部１６を用いて、第１センサ２３から制服番号を受信し、記憶部ＤＢ１に記憶する（Ｓ２０）。また、管理端末１０は、制服番号を受信すると、解錠信号送信部１２Ａを用いて、解錠信号をドア鍵制御器２２へ送信する（Ｓ３０）。
【００７１】
ドア鍵制御器２２は、解錠信号を受信すると、ドア２１の解錠制御を行い（Ｓ４０）、ドア２１は解錠状態となる（Ｓ５０）。ドア２１が解錠状態にある間、従業員Ｕが取っ手２１Ａを操作するとドア２１は開閉し（Ｓ６０）、従業員Ｕはロッカールーム２０内へ入室することが可能となる。
【００７２】
従業員Ｕがロッカールーム２０に入室後、ドア鍵制御器２２の施錠制御により、ドア２１は再び施錠される（Ｓ７０）。
【００７３】
このように、ロッカールームシステム１は、ロッカールーム２０に入室しようとする従業員Ｕが着用している制服４０の制服番号を取得すると、入室可能となるように、施錠されているロッカールーム２０への入室用のドアを解錠する。
【００７４】
ロッカールーム２０に入室した従業員Ｕは、着用していた制服４０を戸棚３０の格納庫３１内に格納する（Ｓ８０）。
制服４０が格納庫３１内に格納されると、第２センサ３３が制服４０のＩＣタグ４１から制服番号を読み取る（Ｓ９０）。第２センサ３３は、読み取った制服番号を管理端末１０へ送信する。
管理端末１０は、第２センサ３３から送信された制服番号を第２物品ＩＤ取得部１１にて受信する（Ｓ１００）。
【００７５】
第２センサ３３から制服番号を受信した管理端末１０は、第１センサ２３から受信して記憶部ＤＢ１に記憶しておいた制服番号を読み出して、第２センサ３３から受信した制服番号と一致するか否かを判定する（Ｓ１１０）。
管理端末１０は、第２センサ３３から受信した制服番号が第１センサ２３から受信した制服番号と一致していると判定したときは、解錠信号送信部１２Ａを用いて、解錠信号をドア鍵制御器２２へ送信する（Ｓ１２０）と共に、記憶されている制服番号を記憶部ＤＢ１から削除する。
【００７６】
ドア鍵制御器２２は、管理端末１０から解錠信号を受信すると、ドア２１の解錠制御を行い（Ｓ１３０）、ドア２１は解錠され（Ｓ１４０）、従業員Ｕはドア２１を開閉して（Ｓ１５０）ロッカールーム２０から退室することが可能となる。
従業員Ｕがロッカールーム２０からの退室した後、ドア２１は再び施錠される（Ｓ１６０）。
【００７７】
ここで、ドア２１の解錠状態（Ｓ１４０）を一定時間に限定するように構成してもよい。すなわち、前述のとおり、ドア鍵制御器２２は管理端末１０から解錠信号を受信してドア２１の解錠制御を行うが、この解錠制御から所定の時間が経過すると、ドア２１が開閉されたか否かに関わらず、ドア鍵制御器２２はドア２１の施錠制御を行う。この構成によれば、ドア２１が長時間、解錠状態にされたままとなるのを防止することができる。
なお、所定時間の経過は、ドア鍵制御器２２内の手段で判定するようにしてもよいし、あるいは、管理端末１０内の手段で判定してドア鍵制御器２２に通知するようにしてもよい。
【００７８】
以上説明した実施形態によれば、第２センサ３３が読み取った制服番号が記憶部ＤＢ１に記憶されているとき、つまり、ロッカールーム２０への入室時に従業員Ｕが着用していた制服４０が戸棚３０に格納されたときに、ドア２１の施錠を解除することができる。したがって、従業員Ｕは、ロッカールーム２０への入室時に着用していた制服４０を戸棚３０に格納しなければ退室することができない。また、入室時に着用していた制服と戸棚３０に格納した制服が異なるときも、ドア２１の施錠は解除されず、従業員Ｕはロッカールーム２０から退室することができない。
【００７９】
なお、以上説明した実施の形態は、管理端末１０が、第１センサ２３で読み取られた制服番号を記憶部ＤＢ１に一時的に記憶しておき、第２センサ３３で読み取られた制服番号が記憶部ＤＢ１に記憶されているとき、つまり、第２センサ３３で読み取られた制服番号と第１センサ３３で読み取られた制服番号が一致すると判定したときに、解錠信号をドア鍵制御器２２に送信すると共に、記憶されている制服番号を記憶部ＤＢ１から削除するものであった。
【００８０】
これに対して、制服番号の記憶部ＤＢ１への記憶方法については、図３（ａ）に示したように、従業員Ｕがロッカールーム２０を訪れる前に、予め返却情報と関連付けて記憶するようにしてもよい。つまり、たとえば、管理端末１０は、第２センサ３３で読み取られた制服番号が記憶部ＤＢ１に記憶されていると判定したときに、解錠信号をドア鍵制御器２２に送信すると共に、読み取られた制服番号と関連付けて記憶されている返却情報を「返却済」に更新するように構成してもよい。
【００８１】
なお、ロッカールームシステムは、入室時に第１センサ２３で制服番号を読み取って管理端末１０に送信することなく、たとえば、第２センサ３３が物品に添付された荷札を感知したときに、解錠信号をドア鍵制御器２２に送信するように構成してもよい。すなわち、図７に示すように、図６中の（Ｓ１０）〜（Ｓ５０）、（Ｓ７０）の処理を省略するように構成してもよい。ここで、第２センサ３３は、荷札を感知する（Ｓ９１）と、その旨を管理端末１０に送信する。管理端末１０は、第２センサ３３から荷札の感知の通知を受信する（Ｓ１０１）と、解錠信号をドア鍵制御器２２に送信する（Ｓ１２０）。
このように、ロッカールーム２０への入室用のドアは施錠されておらず、従業員Ｕが取っ手２１Ａを操作することで開く（ロッカールーム２０へは自由に入室できる）ように構成してもよい。ただし、この場合、入室用のドアはロッカールーム２０内からは開けることができないなど、この入室用のドアからの退室は不可能となるように構成されていなければならない。
【００８２】
次に、本発明の別の実施形態について、先に説明した実施形態と異なる部分を中心に説明する。
本実施形態は、従業員Ｕのロッカールーム２０への入室時および退室時のドア２１の解錠を、従業員Ｕの従業員番号に基づいて行うものである。
なお、記憶部ＤＢ１には、従業員Ｕが制服４０を返却するためにロッカールーム２０を訪れる前に、予め、図３（ｂ）に示したように、従業員Ｕの従業員番号と制服４０の制服番号が記憶されているものとする。
【００８３】
図８は、本実施形態の例を示すシーケンス図である。なお、図６に示した実施形態と共通する処理（Ｓ１３０）〜（Ｓ１６０）は、記載を省略している。
【００８４】
（入室時について）
従業員Ｕがロッカールーム２０への入室をする際、利用者ＩＤ読取器２４は、従業員Ｕの従業員番号を読み取り（Ｔ１０）、管理端末１０に送信する。
管理端末１０は、利用者ＩＤ読取器２４から従業員Ｕの従業員番号を受信し（Ｔ２０）、この従業員番号が記憶部ＤＢ１に記憶されているか否か判定する（Ｔ２５）。
管理端末１０は、受信した利用者ＩＤが記憶ＤＢ１に記憶されていると判定したときにのみ、解錠信号をドア鍵制御器２２に送信する（Ｓ３０）。
【００８５】
（退室時について）
管理端末１０は、２センサ３３から制服番号を受信すると（Ｓ１００）、この制服番号が、利用者ＩＤ読取器２４から受信した従業員番号と関連付けて記憶部ＤＢ１に記憶されているか否か判定する（Ｔ１１０）。
管理端末１０は、第２センサ３３から受信した制服番号が利用者ＩＤ読取器２４から受信した従業員番号と関連付けて記憶部ＤＢ１に記憶されていると判定したときにのみ、解錠信号をドア鍵制御器２２に送信する（Ｓ１２０）。
【００８６】
なお、管理端末１０は、第２センサ３３から受信した制服番号が利用者ＩＤ読取器２４から受信した従業員番号と関連付けて記憶部ＤＢ１に記憶されていると判定した場合、この制服番号と利用者ＩＤを記憶部ＤＢ１から削除する。あるいは、記憶部ＤＢ１には、制服番号を従業員番号のほか返却情報と関連付けて記憶しておき、管理端末１０は、上記判定をした場合に、返却情報を「未返却」から「返却済」に更新するように構成してもよい。
【００８７】
以上説明した実施形態によれば、入室時には、ロッカールーム２０を訪れた従業員の従業員番号が記憶部ＤＢ１に記憶されているときにのみ、ドア２１を解錠することができる。つまり、たとえば、制服を貸与されていない従業員など、ロッカールーム２０への入室が予定されていない従業員は、ロッカールーム２０に入室することができない。
【００８８】
また、退室時には、ロッカールーム２０に入室した従業員の従業員番号が、戸棚３０に返却された制服４０の制服番号と関連付けて記憶部ＤＢ１に記憶されているときにのみ、ドア２１を解錠して従業員Ｕを退室させることができる。つまり、従業員は、自分自身に貸与されている制服を返却したときにのみ、ロッカールーム２０から退室することができ、たとえば、他人に貸与されている制服を返却したとしても退室することができない。
【００８９】
次に、本発明のさらに別の実施形態について、先に説明した実施形態と異なる部分を中心に説明する。
本実施形態は、制服４０が格納された戸棚３０の扉３２が施錠されたときにのみ、ドア２１を解錠するようにしたものである。
図９は、本実施形態の例を示すシーケンス図である。なお、図６に示した実施形態と共通する処理（Ｓ１０）〜（Ｓ７０）（Ｓ１４０）〜（Ｓ１６０）は、記載を省略している。
【００９０】
従業員Ｕが戸棚３０に制服４０を格納すると、管理端末１０は、第２センサ３３から制服４０の制服番号を受信する（Ｓ１００）。また、従業員Ｕが制服４０を格納した状態で戸棚３０の扉３２を施錠すると、管理端末１０は、施錠情報送信部３５から施錠情報を受信する（Ｕ１０５）。
【００９１】
ここで、施錠情報送信部３５は、戸棚３０の格納庫３１内に制服４０が格納されているときにのみ、施錠情報を管理端末１０に送信するように構成されている。したがって、たとえば、従業員Ｕが格納庫３１に制服４０を格納した後に、この制服を格納庫４１から取り出して扉３２を施錠したときには、施錠情報は管理端末１０に送信されない。つまり、第２センサ３３は常に（一定時間間隔で）格納庫３１内の制服番号の感知を行い、制服番号を読み取ると格納済みである旨を施錠情報送信部３５に通知し、制服番号を読み取ることができないと（たとえば、制服４０が格納庫３１から取り出されたとき）未格納である旨を施錠情報送信部３５に通知する。このような構成により、施錠情報送信部３５は、第２センサ３３がＩＣタグ４１を感知している最中に扉３２が施錠されたときにのみ、施錠情報を管理端末１０に送信する。
【００９２】
管理端末１０は、制服番号と施錠情報を受信したか否かを判定する（Ｕ１１０）。判定の結果、制服番号と施錠情報を受信したときにのみ、管理端末１０は、解錠信号をドア鍵制御器２２に送信し（Ｓ１２０）、ドア鍵制御器２２はドア２１の解錠制御を行う（Ｓ１３０）。
【００９３】
以上説明した実施形態によれば、制服４０が戸棚３０に格納された状態で扉３２が施錠されたときにのみ、ドア２１を解錠して従業員Ｕを退室させることができる。
【００９４】
次に、本発明のさらに別の実施形態について、先に説明した実施形態と異なる部分を中心に説明する。
本実施形態は、従業員Ｕが制服を着用したままロッカールーム２０から退室しようとしてドア２１に近づいた場合に、ドア２１の解錠を禁止、つまり、ドア２１を施錠するものである。
【００９５】
なお、従業員Ｕが制服を着用したままドア２１に近づく例としては、従業員Ｕがロッカールーム２０への入室時に着用していた制服を、そのまま着用して退室しようとする場合がある。また、従業員Ｕがロッカールーム２０への入室時に着用していた制服を、一旦は戸棚３０に格納し、その後、戸棚３０から取り出して着用する場合がある。さらには、従業員Ｕが入室時に着用していた制服を戸棚３０に格納した上で、ロッカールーム２０内に存在する別の制服、たとえば、別の従業員が戸棚に格納（返却）していた制服を持ち出そうとする場合がある。
【００９６】
図１０は、本実施形態の例を示すシーケンス図である。なお、図６に示した実施形態と共通する処理（Ｓ１０）〜（Ｓ１１０）は、記載を省略している。
前述のとおり、従業員Ｕが戸棚３０に制服４０を格納すると、管理端末１０は、ドア鍵制御器２２に解錠信号を送信する（Ｓ１２０）。解錠信号を受信したドア鍵制御器２２は、ドア２１を解錠制御する（Ｓ１３０）。その結果、ドア２１は解錠される（Ｓ１４０）。
解錠されたドア２１は、取っ手２１Ｂの操作により開くので、この状態であれば従業員Ｕはロッカールーム２０から退室することができる。
【００９７】
しかし、従業員Ｕが制服を着用したままロッカールーム２０から退室しようと解錠されたドア２１に近づくと、第３センサ２５が従業員Ｕの着用している制服のＩＣタグから制服番号を読み取り(Ｖ１３１)、管理端末１０に送信する。
【００９８】
管理端末１０は、第３センサ２５から制服番号を受信すると、この制服番号を記憶部ＤＢ１に記憶する（Ｖ１３２）と共に、解錠禁止信号をドア鍵制御器２２に送信する（Ｖ１３３）。解錠禁止信号を受信したドア鍵制御器２２は、ドア２１の施錠制御を行う（Ｖ１３４）。その結果、ドア２１は施錠される（Ｖ１３５）。
【００９９】
施錠されたドア２１は、取っ手２１Ｂが操作されても開かないので、この状態では、従業員Ｕがロッカールーム２０から退室することはできない。そこで、従業員Ｕがドア２１に近づく際に着用していた制服を戸棚３０に格納すると（Ｖ１３６）、第２センサ３３が制服番号を読み取る（Ｖ１３７）。
管理端末１０は、第２センサ３３から制服番号を受信する（Ｖ１３８）と、この制服番号が記憶部ＤＢ１に記憶されているか否かを判定する（Ｖ１３９）。管理端末１０は、制服番号が記憶部ＤＢ１に記憶されていると判定されたときにのみ、解錠信号をドア鍵制御器２２に送信する（Ｖ１４０）。
【０１００】
管理端末１０から解錠信号を受信したドア鍵制御器２２は、ドア２１の解錠制御を行う（Ｖ１４１）。その結果、ドア２１は解錠される（Ｓ１４０）。  その後、従業員Ｕが制服を着用することなく、ロッカールーム２０から退室しようとしてドア２１の取っ手２１Ｂを操作すると、ドア２１は開閉され、従業員Ｕはロッカールーム２０から退室することができる（Ｓ１５０）。その後、ドア２１は施錠される（Ｓ１６０）。
【０１０１】
以上説明した実施形態によれば、一旦ドア２１が解錠されたとしても、制服を着用したまま従業員Ｕがロッカールーム２０から退室しようとすれば、ドア２１の解錠を禁止、つまり、施錠することができる。
【０１０２】
次に、本発明のさらに別の実施形態について、先に説明した実施形態と異なる部分を中心に説明する。
本実施形態は、ドア２１を解錠するために必要な解錠情報を従業員Ｕに通知して、ドア鍵制御器２２がこの解錠情報を取得することでドア２１を解錠するようにしたものである。
図１１は、本実施形態の例を示すシーケンス図である。なお、図６に示した実施形態と共通する処理（Ｓ１０）〜（Ｓ９０）は、記載を省略している。
【０１０３】
前述のとおり、従業員Ｕが戸棚３０に制服４０を格納すると、管理端末１０は、第２センサ３３から制服番号を受信し（Ｓ１００）、ドア２１の解錠の可否を判定する（Ｓ１１０）。
【０１０４】
ここで、管理端末１０は、受信した制服番号が記憶部ＤＢ１に記憶されていると判定したときにのみ、解錠番号を決定する（Ｗ１１１）。解錠番号とは、解錠情報の例であり、ここでは４桁の数字の組合せとする。
管理端末１０は、決定した解錠番号を戸棚３０とドア鍵制御器２２に送信する（Ｗ１１２）。
【０１０５】
戸棚３０は、受信した解錠番号を表示部３６に表示する（Ｗ１１３）。図５（ａ）は、表示部３６に解錠番号「１２３４」が表示されていることを示している。
一方、ドア鍵制御器２２は、その内部の記憶手段（図示省略）に受信した解錠番号を記憶する（Ｗ１１４）。
【０１０６】
従業員Ｕは、表示部３６に表示された解錠番号「１２３４」をドア解錠番号入力部２６に入力する（Ｗ１１５）。入力された解錠番号は、ドア解錠番号入力部２６からドア鍵制御器２２に通知される。
【０１０７】
ドア鍵制御器２２は、ドア解錠番号入力部２６から解錠番号を取得する（Ｗ１１６）と、この取得した解錠番号が管理端末１０から受信して記憶しておいた解錠番号と一致するか否か判定する（Ｗ１１７）。判定の結果、両者が一致するときにのみ、ドア鍵制御器２２はドア２１の解錠制御を行う（Ｓ１３０）。その結果、ドア２１は解錠され（Ｓ１４０）、従業員Ｕはドア２１を開閉してロッカールーム２０から退室することができる（Ｓ１５０）。その後、ドア２１は施錠される（Ｓ１６０）。
なお、ドア鍵制御器２２は、ドア２１の解錠制御を行う際に、管理端末１０から受信して記憶しておいた解錠番号を記憶部から削除する。
【０１０８】
以上説明した実施形態によれば、ドア２１の解錠に必要な解錠番号を従業員Ｕに閲覧させ、この解錠番号が入力器２６から入力されたときにのみ、ドア２１を解錠することができる。
【０１０９】
なお、管理端末１０は、決定した解錠番号を、表示部３６に表示するのに代えて、表示部２７に表示する、あるいは、表示部２７と３６の双方に表示するように構成してもよい。
【０１１０】
以上、制服番号の記憶部ＤＢ１への記憶方法について、種々の実施形態を説明したが、制服番号の記憶部ＤＢ１への記憶方法については、図３（ｃ）に示したように、戸棚ＩＤと関連付けて記憶するようにしてもよい。つまり、たとえば、従業員Ｕが制服４０を戸棚３０に返却した際に、管理端末１０は、戸棚３０の第２センサ３３から制服４０の制服番号を受信すると共に、図示しない手段から戸棚３０の戸棚ＩＤを受信する。管理端末１０は、受信した制服番号と戸棚ＩＤを関連付けて記憶部ＤＢ１に記憶すると共に、解錠信号をドア鍵制御器２２に送信する。
【０１１１】
また、返却される制服の制服番号の記憶部ＤＢ１への記憶方法と、解錠信号の送信方法については、前述の各実施の形態のほかに、種々のバリエーションがあり、前述の実施の形態を組み合わせてもよい。たとえば、管理端末１０は、第１センサ２３から受信した制服番号を記憶部ＤＢ１に記憶しておき、戸棚３０から戸棚ＩＤと共に制服番号を受信した際に、この制服番号が記憶部ＤＢ１に記憶されていると判定したときに、受信した制服番号を記憶済の制服番号と関連付けて記憶すると共に、解錠信号をドア鍵制御器２２に送信するようにしてもよい。あるいは、制服番号を従業員番号と戸棚ＩＤを関連付けて記憶するようにしてもよい。つまり、記憶部ＤＢ１には従業員番号と関連付けて制服番号が記憶されていて、管理端末１０は、戸棚３０から制服番号と戸棚ＩＤを受信し、この戸棚ＩＤを記憶済の制服番号と関連付けて記憶すると共に、解錠信号をドア鍵制御器２２に送信するようにしてもよい。
【図面の簡単な説明】
【０１１２】
【図１】本発明にかかるロッカールームシステムの実施の形態を示す模式図である。
【図２】上記ロッカールームシステムを構成する管理端末の例を示すブロック図である。
【図３】上記管理端末の記憶部に記憶されている情報の例を示す模式図である。
【図４】上記ロッカールームシステムを構成する退室用のドアの例を示す模式図であり、（ａ）はロッカールームの外側から見た様子、（ｂ）はロッカールームの内側から見た様子、を示す。
【図５】上記ロッカールームシステムを構成する戸棚の例を示す模式図であり、（ａ）は扉を閉じた状態、（ｂ）は扉を開けた状態、を示す。
【図６】上記ロッカールームシステムの実施の形態を示すシーケンス図である。
【図７】上記ロッカールームシステムの別の実施の形態を示すシーケンス図である。
【図８】上記ロッカールームシステムのさらに別の実施の形態を示すシーケンス図である。
【図９】上記ロッカールームシステムのさらに別の実施の形態を示すシーケンス図である。
【図１０】上記ロッカールームシステムのさらに別の実施の形態を示すシーケンス図である。
【図１１】上記ロッカールームシステムのさらに別の実施の形態を示すシーケンス図である。
【符号の説明】
【０１１３】
１      ロッカールームシステム
１０    ロッカールーム管理端末
２０    ロッカールーム
２１    ロッカールームからの退室用のドア
２２    ドア鍵制御器
２３    第１センサ
２５    第３センサ
３０    戸棚
３３    第２センサ
Ｕ      利用者
【図１】
2007217159.tif 000003
【図２】
2007217159.tif 000004
【図３】
2007217159.tif 000005
【図４】
2007217159.tif 000006
【図５】
2007217159.tif 000007
【図６】
2007217159.tif 000008
【図７】
2007217159.tif 000009
【図８】
2007217159.tif 000010
【図９】
2007217159.tif 000011
【図１０】
2007217159.tif 000012
【図１１】
2007217159.tif 000013
【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
ロッカールームからの退室用のドアと、
ロッカールーム外に設置され、ロッカールーム内に持ち込まれる物品に添付された荷札からこの物品を特定する物品ＩＤを読み出す第１のセンサと、
ロッカールーム内に設置され、ロッカールーム内に持ち込まれた物品に添付された荷札からこの物品を特定する物品ＩＤを読み出す第２のセンサと、
上記第１のセンサが読み出した物品ＩＤを記憶する記憶手段と、
上記第２のセンサが読み出した物品ＩＤが上記記憶手段に記憶されているか否かを判定する判定手段と、
上記判定の結果、上記第２のセンサが読み出した物品ＩＤが上記記憶手段に記憶されているときに、上記退室用のドアの施錠を解除する解錠手段と、
を有してなることを特徴とするロッカールームシステム。
【請求項２】
ロッカールームからの退室用のドアと、
ロッカールーム外に設置され、ロッカールーム内に持ち込まれる物品に添付された荷札からこの物品を特定する物品ＩＤを読み出す第１のセンサと、
ロッカールーム内に設置され、ロッカールーム内に持ち込まれた物品に添付された荷札からこの物品を特定する物品ＩＤを読み出す第２のセンサと、
上記第１のセンサが読み出した物品ＩＤを記憶する記憶手段と、
上記第２のセンサが読み出した物品ＩＤが上記記憶手段に記憶されているか否かを判定する判定手段と、
上記判定の結果、上記第２のセンサが読み出した物品ＩＤが上記記憶手段に記憶されているときに、上記退室用のドアの施錠を解除するために必要な解錠情報を決定する手段と、
ロッカールーム内に設置され、上記決定された解錠情報を表示する表示手段と、
上記決定された解錠情報を記憶しておく記憶部と、上記物品をロッカールーム内に持ち込んだ利用者に上記表示手段に表示された解錠情報を入力させる入力部と、この入力部から入力された解錠情報が上記記憶部に記憶されているか否かを判定する判定部と、この判定部による判定の結果、上記入力された解錠情報が上記記憶部に記憶されているときにのみ上記ドアの施錠を解除する解錠手段と、
を有してなることを特徴とするロッカールームシステム。
【請求項３】
物品を格納するための戸棚、をさらに備え、
第２のセンサは、上記戸棚内に設置されていて、この戸棚に格納された物品に添付された荷札からこの物品を特定する物品ＩＤを読み出す、
請求項１または２記載のロッカールームシステム。
【請求項４】
戸棚には扉が設けられ、
上記戸棚の扉が施錠されたことを感知する第３のセンサ、をさらに備え、
判定手段は、上記第３のセンサが上記戸棚の扉が施錠されたことを感知し、かつ、第２のセンサが読み出した物品ＩＤが記憶手段に記憶されているか否かを判定する、
請求項３記載のロッカールームシステム。
【請求項５】
ロッカールーム内であって退室用のドアの近傍に設置され、このドアに接近する物品に添付された荷札を感知する第４のセンサと、
上記第４のセンサが荷札を感知したとき、上記ドアを施錠する施錠手段と、
をさらに備えた請求項１乃至４のいずれかに記載のロッカールームシステム。
【請求項６】
ロッカールームへの入室用のドアと、
第１のセンサが物品ＩＤを読み出したときに、上記入室用のドアの施錠を解除する手段と、
をさらに備えた請求項１乃至５のいずれかに記載のロッカールームシステム。
【請求項７】
ロッカールームからの退室用のドアの施錠を解除するドア鍵制御器と、
ロッカールーム外に設置され、ロッカールーム内に持ち込まれる物品に添付された荷札からこの物品を特定する物品ＩＤを読み出す第１のセンサと、
ロッカールーム内に設置され、ロッカールーム内に持ち込まれた物品に添付された荷札からこの物品を特定する物品ＩＤを読み出す第２のセンサ、
のそれぞれと通信ネットワークを介して接続し、
上記第１のセンサが読み出した物品ＩＤを上記第１のセンサから受信して記憶する記憶手段と、
上記第２のセンサが読み出した物品ＩＤを上記第２のセンサから受信して、この受信した物品ＩＤが上記記憶手段に記憶されているか否かを判定する判定手段と、
上記判定の結果、上記第２のセンサが読み出した物品ＩＤが上記記憶手段に記憶されているときに、上記退室用のドアの施錠を解除するための解錠信号を上記ドア鍵制御器に送信する手段と、
を有してなることを特徴とするロッカールーム管理端末。
【請求項８】
ロッカールーム外に設置され、ロッカールーム内に持ち込まれる物品に添付された荷札からこの物品を特定する物品ＩＤを読み出す第１のセンサと、
ロッカールーム内に設置され、ロッカールーム内に持ち込まれた物品に添付された荷札からこの物品を特定する物品ＩＤを読み出す第２のセンサと、
ロッカールーム内に設置され、ロッカールームからの退室用のドアの施錠を解除するために必要な解錠情報を表示する表示手段と、
解錠情報を記憶しておく記憶部と、上記物品をロッカールーム内に持ち込んだ利用者に上記表示手段に表示された解錠情報を入力させる入力部と、この入力部から入力された解錠情報が上記記憶部に記憶されているときにのみロッカールームからの退室用のドアの施錠を解除する解錠手段、
のそれぞれと通信ネットワークを介して接続し、
上記第１のセンサが読み出した物品ＩＤを上記第１のセンサから受信して記憶する記憶手段と、
上記第２のセンサが読み出した物品ＩＤを上記第２のセンサから受信して、この受信した物品ＩＤが上記記憶手段に記憶されているか否かを判定する判定手段と、
上記判定の結果、上記第２のセンサが読み出した物品ＩＤが上記記憶手段に記憶されているときに解錠情報を決定する手段と、
上記決定した解錠情報を上記表示手段と上記解錠手段に送信する手段と、
を有してなることを特徴とするロッカールーム管理端末。
【請求項９】
コンピュータを、請求項７または8記載のロッカールーム管理端末として機能させることを特徴とするロッカールーム管理プログラム。
【請求項１０】
ロッカールームからの退室用のドアの施錠を解除するドア鍵制御器と、
ロッカールーム外に設置され、ロッカールーム内に持ち込まれる物品に添付された荷札からこの物品を特定する物品ＩＤを読み出す第１のセンサと、
ロッカールーム内に設置され、ロッカールーム内に持ち込まれた物品に添付された荷札からこの物品を特定する物品ＩＤを読み出す第２のセンサ、
のそれぞれと通信ネットワークを介して接続し、
上記第１のセンサが読み出した物品ＩＤを上記第１のセンサから受信して記憶する記憶手段を備えた端末により実行される方法であって、
上記端末が、
上記第２のセンサが読み出した物品ＩＤを上記第２のセンサから受信して、この受信した物品ＩＤが上記記憶手段に記憶されているか否かを判定するステップと、
上記判定の結果、上記第２のセンサが読み出した物品ＩＤが上記記憶手段に記憶されているときに、上記退室用のドアの施錠を解除するための解錠信号を上記ドア鍵制御器に送信するステップと、
を有してなることを特徴とするロッカールーム管理方法。
【請求項１１】
ロッカールーム外に設置され、ロッカールーム内に持ち込まれる物品に添付された荷札からこの物品を特定する物品ＩＤを読み出す第１のセンサと、
ロッカールーム内に設置され、ロッカールーム内に持ち込まれた物品に添付された荷札からこの物品を特定する物品ＩＤを読み出す第２のセンサと、
ロッカールーム内に設置され、ロッカールームからの退室用のドアの施錠を解除するために必要な解錠情報を表示する表示手段と、
解錠情報を記憶しておく記憶部と、上記物品をロッカールーム内に持ち込んだ利用者に上記表示手段に表示された解錠情報を入力させる入力部と、この入力部から入力された解錠情報が上記記憶部に記憶されているときにのみロッカールームからの退室用のドアの施錠を解除する解錠手段、
のそれぞれと通信ネットワークを介して接続し、
上記第１のセンサが読み出した物品ＩＤをこの第１のセンサから受信して記憶する記憶手段を備えた装置により実行される方法であって、
上記装置が、
上記第２のセンサが読み出した物品ＩＤをこの第２のセンサから受信して、この受信した物品ＩＤが上記記憶手段に記憶されているか否かを判定するステップと、
上記判定の結果、上記第２のセンサが読み出した物品ＩＤが上記記憶手段に記憶されているときに解錠情報を決定するステップと、
上記決定された解錠情報を上記表示手段と上記解錠手段に送信するステップと、
を有してなることを特徴とするロッカールーム管理方法。
【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
ロッカールームへの入室用のドアと、
ロッカールームからの退室用のドアと、
ロッカールーム内に持ち込まれた物品を格納し、かつ、ロッカールーム内に設置された戸棚と、
ロッカールーム外に設置され、ロッカールーム内に持ち込まれる物品に添付された荷札からこの物品を特定する物品ＩＤを読み出す第１のセンサと、
上記戸棚内に設置されていて、この戸棚に格納された物品に添付された荷札からこの物品を特定する物品ＩＤを読み出す第２のセンサと、
上記第１のセンサが物品ＩＤを読み出したときに、上記入室用のドアの施錠を解除する手段と、
上記第１のセンサが読み出した物品ＩＤを記憶する記憶手段と、
上記第２のセンサが読み出した物品ＩＤが上記記憶手段に記憶されているか否かを判定する判定手段と、
上記判定の結果、上記第２のセンサが読み出した物品ＩＤが上記記憶手段に記憶されているときに、上記退室用のドアの施錠を解除する解錠手段と、
を有してなることを特徴とするロッカールームシステム。
【請求項２】
ロッカールームへの入室用のドアと、
ロッカールームからの退室用のドアと、
ロッカールーム内に持ち込まれた物品を格納し、かつ、ロッカールーム内に設置された戸棚と、
ロッカールーム外に設置され、ロッカールーム内に持ち込まれる物品に添付された荷札からこの物品を特定する物品ＩＤを読み出す第１のセンサと、
上記戸棚内に設置されていて、この戸棚に格納された物品に添付された荷札からこの物品を特定する物品ＩＤを読み出す第２のセンサと、
上記第１のセンサが物品ＩＤを読み出したときに、上記入室用のドアの施錠を解除する手段と、
上記第１のセンサが読み出した物品ＩＤを記憶する記憶手段と、
上記第２のセンサが読み出した物品ＩＤが上記記憶手段に記憶されているか否かを判定する判定手段と、
上記判定の結果、上記第２のセンサが読み出した物品ＩＤが上記記憶手段に記憶されているときに、上記退室用のドアの施錠を解除するために必要な解錠情報を決定する手段と、
ロッカールーム内に設置され、上記決定された解錠情報を表示する表示手段と、
上記決定された解錠情報を記憶しておく記憶部と、上記物品をロッカールーム内に持ち込んだ利用者に上記表示手段に表示された解錠情報を入力させる入力部と、この入力部から入力された解錠情報が上記記憶部に記憶されているか否かを判定する判定部と、この判定部による判定の結果、上記入力された解錠情報が上記記憶部に記憶されているときにのみ上記退室用のドアの施錠を解除する解錠手段と、
を有してなることを特徴とするロッカールームシステム。
【請求項３】
戸棚には扉が設けられ、
上記戸棚の扉が施錠されたことを感知する第３のセンサ、をさらに備え、
判定手段は、上記第３のセンサが上記戸棚の扉が施錠されたことを感知し、かつ、第２のセンサが読み出した物品ＩＤが記憶手段に記憶されているか否かを判定する、
請求項１または２記載のロッカールームシステム。
【請求項４】
ロッカールーム内であって退室用のドアの近傍に設置され、このドアに接近する物品に添付された荷札を感知する第４のセンサと、
上記第４のセンサが荷札を感知したとき、上記ドアを施錠する施錠手段と、
をさらに備えた請求項１乃至３のいずれかに記載のロッカールームシステム。